(57)【特許請求の範囲】
【請求項１】
表皮と補強層からなる表層及び同表層は複数の片の縫い合わせよりなり、この表層とその内側のチューブからなる構造のボールにおいて、光透過性で弾性を有し発光パネル及び発光体保持部からなる発光体取り付け具をボールの表面から発光パネルを露出させ、且つ発光パネルの径より大きくした発光体保持部の外周を補強層とチューブで挟まれた状態として複数装着し、発光パネル表面の発光体挿入口から化学発光体を発光体保持部の空洞まで着脱自在に挿入できる構造としたことを特徴とした発光球技用ボール。
【請求項２】
発光パネル表面の発光体挿入口の径を化学発光体の径よりも小さくし、この発光体挿入口と発光体保持部内の空洞がつながった請求項１記載の発光球技用ボール。
【請求項３】
発光パネル表面の発光体挿入口に、この挿入口に直交した取り外し用溝を設けた請求項１記載の発光球技用ボール。
【請求項４】
ボールの表層の複数の発光パネルの位置を互いに同じ間隔とした請求項１記載の発光球技用ボール。
【請求項５】
過酸化水素水を主成分とした酸化液と、シュウ酸エステル及び蛍光物質を主成分とした蛍光液の２種類の液の混合により化学発光を生起する一方の液を可撓性を有し光透過性の円筒状密閉容器に充填し、この容器内に収容された密封ガラス容器に他方の液を充填した化学発光体を使用した請求項１記載の発光球技用ボール。
【請求項６】
過酸化水素水を主成分とした酸化液と、シュウ酸エステル及び蛍光物質を主成分とした蛍光液の２種類の液の混合により化学発光を生起する系において酸化液を可撓性を有し光透過性の円筒状密閉容器に充填し、この容器内に収容された密封ガラス容器内にシュウ酸エステル及び蛍光物質の溶液及び該シュウ酸エステル及び又は蛍光物質が紛体や結晶などの固体状でも存在する化学発光体を使用した請求項１記載の発光球技用ボール。
【請求項７】
過酸化水素水を主成分とした酸化液と、シュウ酸エステル及び蛍光物質を主成分とした蛍光液の２種類の液の混合により化学発光を生起する系においてシュウ酸エステル及び蛍光物質の溶液及び該シュウ酸エステル及び又は蛍光物質が紛体や結晶などの固体状で存在する蛍光液を可撓性を有し光透過性の円筒状密閉容器に充填し、この容器内に収容された密封ガラス容器内に酸化液を入れた化学発光体を使用した請求項１記載の発光球技用ボール。
【請求項８】
発光体保持部の底面に光反射層を形成した請求項１記載の発光球技用ボール。
【発明の詳細な説明】
【技術分野】  本発明は、夕暮れや夜間においても使用できる光る球技用ボールに関するものである。
【背景技術】  本発明におけるボールとは、バレーボール、サッカーボール、ビーチボール、バスケットボール、ハンドボール、ラグビーボール、フットボール等の内部がチューブで表面が表皮で縫い合わされたボールの全てを意味する。この種のボールの先行技術を調査したが発見されなかった。実用新案出願平４−８７１６５のひかるボールはボール本体が半透明で、その中に袋が入っており、その袋の中に化学発光体を挿入して、全体を光らす遊戯用ボールであり、本発明とは異なるものであった。
本発明は手で打ったり、蹴ったり、床に当たっても実用に耐える光る球技用ボールを提供することおよび、各種競技会に使用される正規なボールを、その性能を保持して、夕暮れ時や暗い所に飛んだボールを見失うことなく、又ボールの軌跡や回転を判断しつつ、球技を行うことができるボールを提供することを目的としたものでもある。
【発明の開示】
本発明のボールは、内部に空気を満たすチューブが入っており、その外側が表層でおおわれているもので、一般的には、この表層（図中１）は補強層（図中３）と表皮（図中２）からなっている。
表層はいくつかの単位（一片）を糸で縫い合わせたものである。なお、補強層のないボールであっても本発明の範囲に含まれるものである。
手縫いサッカーボールの構造の一例を下記に示す。圧搾空気を注入する球形中空のチューブは、空気透過率が天然ゴムの１／１０というブチルゴムを使用し、空気の漏れを最小限におさえた特殊配合ゴムを使用する。ボールの空気圧は一般的には０．６〜１．１気圧（６００〜１１００ｇ／ｃｍ２）である。表皮はソフトなタッチを残しながら強靭性、耐久性に富んだ品質の人工皮革を使用する。なお天然の皮革でもかまわない。
補強層は、ポリエステルとコットンの混紡布と天然ゴムラテックスの複合体よりなり、耐久性、触感、リバウンドなどバランスを考慮したものであり、球技内容に合わせて布種、ラテックス量を変化させる。縫い糸は、縫い目が開きにくい高強力のポリエステル撚糸を使用する。この補強層と表皮からなる表層の一単位の中央部分に穴を空ける。
例えば通常のサッカーボールの場合、六角形が２０単位、五角形が１２単位、これらを組み合わせて縫い合わせたものである。これらの単位につける穴は、それぞれが同じ間隔となるように複数設ける。つまりボールの重心が中心からずれることのないように複数の穴を設けるものである。このように、穴の位置を限定するのはボール本来の機能であるバランスを損なわないようにするためである。ただし、たんなる遊戯に使用するのであれば、限定する必要もない。本発明は用途、目的により穴の位置を設定するものである。
上記した表層とチューブの間に発光体取り付け具を介在して固定させる。この発光体取り付け具は軟質塩化ビニル、酢酸ビニルアセテート、天然ゴム、シリコンゴム等の合成ゴムで弾力性を有し、光を透す素材で成形されている。
この発光体取り付け具はそれ自体弾性を有する為、ボール表面の曲面に合わせた成形も可能であるが、その必要性は少ないであろう。また表層とチューブの間に装着するものであるから、全体の形状が扁平状となっている。
発光球技用ボール表層の穴から露出させた発光パネルは、化学発光体を着脱自在に取着するための挿入口としての機能と、その発光パネルから外に光が放出される発光面の機能をあわせもっている。発光源として使用する化学発光体は、電池とＬＥＤに比べてはるかに耐衝撃性にすぐれている為、このような商品に使用するのが最適である。この発光体取り付け具をチューブの外側で表層の下におさめることにより、表層の触感や耐久性をそこなうことがない構造とした。
【図面の簡単な説明】  第１図は本発明の第一実施例の発光体取り付け具の平面図であり、第２図は本発明の第一実施例の発光体取り付け具の側面図であり、第３図は本発明の第一実施例の発光体取り付け具の断面説明図であり、第４図は本発明の第一実施例の発光球技用ボールの図であり、第５図は本発明の第一実施例の断面説明図であり、第６図は第二実施例の断面説明図であり、第７図は化学発光体の断面説明図である。
【発明を実施するための最良の形態】  以下、本発明の発光球技用ボールの実施の形態を図面を参照しながら詳細に説明する。
第４図は、本発明の第一の実施例を示す発光球技用ボールである。１２枚の五角形の表層１の中央にφ２４〜φ２５ｍｍの穴１３を開ける。なお上記したように表層を形成している補強層は、ポリエステルとコットンの混紡布と天然ゴムラテックスの複合体等よりなる為、圧搾空気を注入時均一に組織が伸びることはないので予め圧搾空気注入後円形の穴となるように伸び率を計算した形状の穴を開ける。
発光体取り付け具５は第１、２、３図に示している。透明軟質塩化ビニル樹脂を素材として、直径φ４５ｍｍ厚さ７ｍｍの内部を横断貫通して空洞８を形成した発光体保持部９に連接して、φ２５ｍｍ高さ３ｍｍの発光パネル６をつけ、この発光パネルにも横断した挿入口７を設けて、前記挿入口７と空洞８をつなぐ。
この挿入口７の入口の巾を３．５ｍｍとして化学発光体１１が飛び出すのを防止する。なお化学発光体のサイズは直径φ４．５ｍｍ全長３７ｍｍを使用する。次に、挿入口７を横断して空洞８まで達する８ｍｍ巾の取り外し用溝１０を設ける。なお本実施例では取り外し用溝１０を設けたが、必ずしも必要ではなく溝１０を設けないときは棒状のもので取り出せばよい。
発光パネル６を表層１の穴１３に挿入する。表層１の裏面、すなわち補強層３に発光体保持部９の上面が接触する。この接触面には接着剤や両面テープを使って固定する。その後、一般的な製法によりボールを成形するとチューブ４と表層１に発光体保持部９が挟まれた状態となり、成形後チューブ４に空気を入れる事により、強狭され固定される。成形されたボールの表面には１２ヶ所にφ２５ｍｍの円形発光面として機能する発光パネルの表面のみが表われる。
なお、本発明に使用する化学発光体１１は蛍光液と酸化液の組成からなり、蛍光液はシュウ酸エステル及び蛍光物質の溶液、酸化液は過酸化水素及び触媒の溶液で、この蛍光液と酸化液のいずれか一方を棒状容器１５の中のガラスアンプル１６に密封し他方をアンプルの外側で容器の中に充填した一般的に知られている構造のものでもかまわないが、ガラス容器の中のシュウ酸エステル及び蛍光物質の溶液に該シュウ酸エステル及び又は蛍光物質が粉状や結晶状でも存在する組成にすると、酸化液成分の過酸化水素は溶解したシュウ酸エステル及び固体状のシュウ酸エステルの表面で発光し、反応開始時のシュウ酸エステルが反応し減少しても、固体状のシュウ酸エステルの溶解により、これと反応して発光するため長時間にわたり発光を持続させることが可能となる。また球技時に発光体の中の両方の液が撹拌され溶解し常時発光が継続する。
一例を上げると、フタル酸ジブチル、又はフタル酸ジメチル又はアセチルクエン酸トリブチル等の溶媒の少なくとも１つ以上で、この溶媒の溶解度以上の量のシュウ酸エステルが加えられている。このシュウ酸エステルはビス（２，４，−５−トリクロロ−カルボイソペンチルオキシフェニル）オキザレートやビス（２，４，−５−トリクロロ−カルボペントキシフェニル）オキザレートが代表例である。なお蛍光物質は、１−クロロビスフェニルエチニルアントラセン等、自由に選択することが出来る。１個のボールに色とりどりの光を発するようにするにはこの蛍光物質を変えることにより容易に達成できる。
使用する時は、化学発光体１１を曲げて中のガラス容器を割ると酸化液と蛍光液が混合し化学発光がスタートする。この化学発光体１１を傾斜させて、発光パネル６の挿入口７より空洞８まで挿入して保持させる。挿入口７の長さは２５ｍｍであるのに対し、化学発光体の長さは３７ｍｍであり、容易に飛び出すことはない。ボールの表面には、φ２５ｍｍの円形の発光面が１２ヶ所点在することになる。このボールを蹴ったり、投げたりした時のボールの回転状態を判断でき、ボールのカーブ等の動きを暗いグラウンド等でも見分けられる。
なお、ガラス容器を薄肉とすることで割れ易くした化学発光体１１をあらかじめボールに装着しておき、使用時に床などに当てる等の衝撃により発光させる事もできる。なお化学発光体１１を外す時は溝１０に金具などで挟み抜き出す。
さらに、上記の実施例では単なる棒状の化学発光体を使用したが、第７図に示すような棒状の先端が膨らんだ内部が空洞の容器とし、その棒状部分の外形がφ４．５ｍｍ、膨らんだ部分の外形がφ８．０ｍｍ、全長３２ｍｍのサイズにすると発光液の内容量が増加するので発光パネルからでる光の輝度が高くなる。
第二の実施例は第６図に示している。化学発光体を発光パネル表面に線状の切り込みを設けて、これを発光体挿入口としこの発光体挿入口１２から傾斜させて、強制的に挿入し、発光体保持部９まで挿しこむと、同保持部の弾性により、包みこんだ状態で保持される。このような保持方法はボールに衝撃を与えても容易にとび出すことはない。
また、第一および第二の実施例において化学発光体１１から出る光は、表面方向にも内側方向にも向うため、発光体保持部９の底面に白色や鏡面の光反射層１４を設けておけば、内側（中心）方向の光を表面に反射させて光の輝度を増加できる効果がある。
【産業上の利用可能性】  以上のように、本発明にかかるによる発光球技用ボールは、今まで不可能とされてきた、手縫いサッカーボールなどの各種のボールの表面を点在した発光面に変えることが可能となるため、ボールを見失うことが無いので夜間での使用も可能となり、又光るボールの軌跡を追うことで観客ならび選手にとっても楽しい球技を提供できる。又、本来の機能を損なうことを最小限におさえた構造であり、従って正式な球技にも使用できる効果がある。
【図１】
0004598768.tif 000002
【図２】
0004598768.tif 000003
【図３】
0004598768.tif 000004
【図４】
0004598768.tif 000005
【図５】
0004598768.tif 000006
【図６】
0004598768.tif 000007
【図７】
0004598768.tif 000008